(57)【特許請求の範囲】
【請求項１】
矩形状の開口を形成する開口縁部に上下一対となるよう設けられる横材と、前記開口縁部に左右一対となるよう設けられる縦材とを連結するための連結部品であって、
前記横材の一部の進入を許容する横材スリットと、前記縦材の一部の進入を許容する縦材スリットとが形成され、前記横材の端面と前記縦材の見込み面とに対向する連結基部と、
前記連結基部に連続し、かつ前記縦材の見付け面に沿って延在して前記連結基部とで略コ字状をなす一対の連結目隠部と
を備えたことを特徴とする連結部品。
【請求項２】
前記横材スリットは、前記横材の見込み面より他の横材に向けて突出するよう形成された横材ヒレ部の進入を許容するものであり、
前記縦材スリットは、前記縦材の見込み面より他の縦材とは反対側に突出するよう形成された縦材突出部の進入を許容するものであることを特徴とする請求項１に記載の連結部品。
【請求項３】
前記連結基部及び前記連結目隠部に連続した状態で内方に向けて突出するよう形成され、かつ前記縦材の端面に当接可能な内方突出部を備えたことを特徴とする請求項１又は請求項２に記載の連結部品。
【請求項４】
前記内方突出部は、前記連結基部及び前記連結目隠部において上下方向の一方に偏って形成されていることを特徴とする請求項３に記載の連結部品。
【請求項５】
前記横材スリット及び前記縦材スリットは、前記連結基部を前後に分割する正中線に対して前後対象に形成されたことを特徴とする請求項１〜４のいずれか１つに記載の連結部品。
【請求項６】
前記縦材スリットは、開放端部における前後方向の間隔が他の部分の前後方向の間隔よりも小さいことを特徴とする請求項１〜５のいずれか１つに記載の連結部品。
【請求項７】
請求項１〜６のいずれか１つに記載の連結部品を備えたことを特徴とする建具。
【発明の詳細な説明】
【技術分野】
【０００１】
本発明は、連結部品及び建具に関し、より詳細には、矩形状の開口を形成する開口縁部に上下一対となるよう設けられる横材と、前記開口縁部に左右一対となるよう設けられる縦材との端部同士を連結するための連結部品及びそれを備えた建具に関するものである。
【背景技術】
【０００２】
従来、例えば引き違い窓のように建物躯体の開口縁部に取り付けられた開口枠に障子がスライド可能に設けられた建具が知られている。そして、このような建具では、障子の室内側において、上下一対の横レールと左右一対の縦レールとが例えば額縁等に方形状に取り付けられ、横レールの長手方向に沿って網戸がスライド可能に設けられたものが知られている（例えば、特許文献１参照）。
【先行技術文献】
【特許文献】
【０００３】
【特許文献１】特開２００４−１１６１３８号公報
【発明の概要】
【発明が解決しようとする課題】
【０００４】
ところで、上記建具においては、横レールや縦レールに施工誤差が生じたり、これら横レールや縦レールが取り付けられる額縁等に施工誤差が生じたりすることで、横レールの端部と縦レールの端部との間に隙間が生ずる虞れがあった。このような隙間が生ずると、光モレや虫の侵入の虞れがあり、好ましいものではない。尚、ここでは、網戸をスライド可能に支持する横レールの端部と縦レールの端部とについて述べたが、矩形状の開口を形成する開口縁部に上下一対となるよう設けられる横材と、開口縁部に左右一対となるよう設けられる縦材との端部同士においても同様の問題が生ずることはいうまでもない。
【０００５】
本発明は、上記実情に鑑みて、上下一対の横材と左右一対の縦材との端部同士において施工誤差等により生ずる隙間を塞ぐことができる連結部品及び建具を提供することを目的とする。
【課題を解決するための手段】
【０００６】
上記目的を達成するために、本発明に係る連結部品は、矩形状の開口を形成する開口縁部に上下一対となるよう設けられる横材と、前記開口縁部に左右一対となるよう設けられる縦材とを連結するための連結部品であって、前記横材の一部の進入を許容する横材スリットと、前記縦材の一部の進入を許容する縦材スリットとが形成され、前記横材の端面と前記縦材の見込み面とに対向する連結基部と、前記連結基部に連続し、かつ前記縦材の見付け面に沿って延在して前記連結基部とで略コ字状をなす一対の連結目隠部とを備えたことを特徴とする。
【０００７】
この発明によれば、横材の端面と縦材の見込み面とに対向する連結基部が横材の一部を横材スリットに進入させるとともに縦材の一部を縦材スリットに進入させ、連結基部に連結する一対の連結目隠部が縦材の見付け面に沿って延在して連結基部とで略コ字状をなすので、横材の端部と縦材の端部とを露出させない。
【０００８】
また本発明は、上記連結部品において、前記横材スリットは、前記横材の見込み面より他の横材に向けて突出するよう形成された横材ヒレ部の進入を許容するものであり、前記縦材スリットは、前記縦材の見込み面より他の縦材とは反対側に突出するよう形成された縦材突出部の進入を許容するものであることを特徴とする。
【０００９】
この発明によっても、連結基部が横材ヒレ部を横材スリットに進入させるとともに縦材突出部を縦材スリットに進入させ、前後一対の連結目隠部が連結基部の前端部及び後端部より縦材の見付け方向に延在するので、横材の端部と縦材の端部とを露出させない。そのため、横材等の施工誤差等により横材と縦材との端部同士に生ずる隙間を塞ぐことができる。
【００１０】
また本発明は、上記連結部品において、前記連結基部及び前記連結目隠部に連続した状態で内方に向けて突出するよう形成され、かつ前記縦材の端面に当接可能な内方突出部を備えたことを特徴とする。
【００１１】
この発明によれば、連結基部及び連結目隠部に連続した状態で内方に向けて突出するよう形成された内方突出部が縦材の端面に当接可能であるので、縦材の端面を保護することができる。
【００１２】
また本発明は、上記連結部品において、前記内方突出部は、前記連結基部及び前記連結目隠部において上下方向の一方に偏って形成されていることを特徴とする。
【００１３】
この発明によれば、内方突出部が連結基部及び連結目隠部において上下方向の一方に偏って形成されているので、横材ヒレ部の突出長さが異なる横材の該横材ヒレ部をそれぞれ対応する横材スリットに良好に進入させることができる。
【００１４】
また本発明は、上記連結部品において、前記横材スリット及び前記縦材スリットは、前記連結基部を前後に分割する正中線に対して前後対象に形成されたことを特徴とする。
【００１５】
この発明によれば、上下一対の横材の端部と、左右一対の縦材の端部とを連結する４隅に用いることができ、部品の共通化を図ることで、部品点数の削減により製造コストの低減化を図ることができる。
【００１６】
また本発明は、上記連結部品において、前記横材スリット及び前記縦材スリットは、開放端部における前後方向の間隔が他の部分の前後方向の間隔よりも小さいことを特徴とする。
【００１７】
この発明によれば、第２スリットに進入した縦材の端部の一部が簡単に抜けてしまうことを抑制できる。
【００１８】
本発明に係る建具は、上述した連結部品を備えたことを特徴とする。
【発明の効果】
【００１９】
本発明によれば、横材の端部と縦材の端部とを露出させないので、上下一対の横材と左右一対の縦材との端部同士において施工誤差等により生ずる隙間を塞ぐことができるという効果を奏する。
【図面の簡単な説明】
【００２０】
【図１】図１は、本発明の実施の形態である連結部品が適用された建具を室内側から見た外観図である。
【図２】図２は、図１に示した各構成要素を断面で示した断面図である。
【図３】図３は、図１に示した建具の横断面図である。
【図４】図４は、図１〜図３に示した網戸用枠を室内側左方より示した斜視図である。
【図５】図５は、図１〜図３に示した網戸用枠を室内側右方より示した斜視図である。
【図６】図６は、図４及び図５に示した連結部品を示すもので、網戸用上枠の左端部と網戸用左縦枠の上端部との連結、並びに網戸用下枠の左端部と網戸用左縦枠の下端部との連結に用いられる連結部品を示す斜視図である。
【図７】図７は、図６に示した連結部品の右側面図である。
【図８−１】図８−１は、連結部品と網戸用左縦枠との取付手順を示す斜視図である。
【図８−２】図８−２は、連結部品と網戸用左縦枠との取付手順を示す斜視図である。
【図９−１】図９−１は、連結部品と網戸用左縦枠との取付手順を示す斜視図である。
【図９−２】図９−２は、連結部品と網戸用左縦枠との取付手順を示す斜視図である。
【図１０−１】図１０−１は、連結部品と網戸用左縦枠との取付手順を示す斜視図である。
【図１０−２】図１０−２は、連結部品と網戸用左縦枠との取付手順を示す斜視図である。
【図１１−１】図１１−１は、連結部品と網戸用左縦枠との取付手順を示す斜視図である。
【図１１−２】図１１−２は、連結部品と網戸用左縦枠との取付手順を示す斜視図である。
【図１２−１】図１２−１は、連結部品と網戸用左縦枠との取付手順を示す斜視図である。
【図１２−２】図１２−２は、連結部品と網戸用左縦枠との取付手順を示す斜視図である。
【図１３−１】図１３−１は、連結部品と網戸用左縦枠との取付手順を示す斜視図である。
【図１３−２】図１３−２は、連結部品と網戸用左縦枠との取付手順を示す斜視図である。
【図１４−１】図１４−１は、連結部品と、網戸用上枠及び網戸用左縦枠との取付手順を示す斜視図である。
【図１４−２】図１４−２は、連結部品と、網戸用上枠及び網戸用左縦枠との取付手順を示す斜視図である。
【図１５−１】図１５−１は、連結部品と、網戸用下枠及び網戸用左縦枠との取付手順を示す斜視図である。
【図１５−２】図１５−２は、連結部品と、網戸用下枠及び網戸用左縦枠との取付手順を示す斜視図である。
【図１６】図１６は、上方防虫部材を示す斜視図である。
【図１７】図１７は、上方防虫部材を網戸用上枠に取り付ける手順を示す斜視図である。
【図１８】図１８は、上方防虫部材を網戸用上枠に取り付けた状態を示す斜視図である。
【図１９】図１９は、本発明の実施の形態である連結部品が適用された建具の変形例の各構成要素を断面で示した断面図である。
【発明を実施するための形態】
【００２１】
以下に添付図面を参照して、本発明に係る連結部品及び建具の好適な実施の形態について詳細に説明する。
【００２２】
図１〜図３は、それぞれ本発明の実施の形態である連結部品が適用された建具、すなわち本発明の実施の形態である建具を示すものであり、図１は、室内側から見た外観図であり、図２は、図１に示した各構成要素を断面で示した断面図であり、図３は、横断面図である。
【００２３】
ここで例示する建具は、高層マンション等の建物の外壁開口部に設けられ、かつ建物の室内空間と室外空間とを仕切る引き違い窓であり、開口枠１０と、複数（図示の例では２つ）の面材である障子２０，３０と、網戸用枠４０と、網戸５０とを備えて構成されている。
【００２４】
開口枠１０は、上枠１１、下枠１２及び左右一対の縦枠１３，１４を四周枠組みすることによって矩形状に構成されたものである。この開口枠１０の各枠１１，１２，１３，１４は、それぞれアルミニウムやアルミニウム合金の押し出し形材によって所定の横断面形状を有するように構成されている。ここで上枠１１には、長手方向に沿って延在する上レール１１ａが設けられており、下枠１２には、長手方向に沿って延在する下レール１２ａが設けられている。
【００２５】
室内側（後方側）の障子（以下、内障子ともいう）２０は、上框２１、下框２２及び左右一対の縦框２３，２４を四周框組みすることによって矩形状に構成された框体の内部にガラス板２５を保持したものである。ここで内障子２０の各框２１，２２，２３，２４は、アルミニウムやアルミニウム合金の押し出し形材によって所定の横断面形状を有するように構成されている。また左右一対の縦框２３，２４が内障子２０の両側端部を構成する。
【００２６】
この内障子２０においては、ガラス板２５として複層ガラスが用いられており、これにより上端部、下端部、左端部及び右端部の見付け方向の寸法よりも当該ガラス板２５が保持される中央部の見付け方向の寸法が大きいものである。つまり、内障子２０の縦框２３，２４においても、上端部や下端部の見込み方向の寸法に対して中央部の見込み方向の寸法が大きくなり、該縦框２３，２４の室内側の見付け面がフラットなものとはなっていない。
【００２７】
上記内障子２０は、戸車２６を有している。戸車２６は、例えばプラスチック等の樹脂材から構成される樹脂製のものであり、下框２２に設けられている。戸車２６は、図には明示していないが、下框２２の見込み方向に沿って延在する軸部の中心軸回りに回転可能となるよう下框２２に設けられている。このような戸車２６は、その外端面が下レール１２ａの上端面に転動可能に載置されている。尚、内障子２０の上框２１には、長手方向に沿って延在する挿入部２７が形成されており、かかる挿入部２７には、上枠１１の上レール１１ａが挿入されている。
【００２８】
室外側（前方側）の障子（以下、外障子ともいう）３０は、上框３１、下框３２及び左右一対の縦框３３，３４を四周框組みすることによって矩形状に構成された框体の内部にガラス板３５を保持したものである。ここで外障子３０の各框３１，３２，３３，３４は、アルミニウムやアルミニウム合金の押し出し形材によって所定の横断面形状を有するように構成されている。また左右一対の縦框３３，３４が外障子３０の両側端部を構成する。
【００２９】
この外障子３０においては、ガラス板３５として複層ガラスが用いられており、これにより上端部、下端部、左端部及び右端部の見付け方向の寸法よりも当該ガラス板３５が保持される中央部の見付け方向の寸法が大きいものである。
【００３０】
上記外障子３０は、戸車３６を有している。戸車３６は、例えばプラスチック等の樹脂材から構成される樹脂製のものであり、下框３２に設けられている。戸車３６は、図には明示していないが、下框３２の見込み方向に沿って延在する軸部の中心軸回りに回転可能となるよう下框３２に設けられている。このような戸車３６は、その外端面が下レール１２ａの上端面に転動可能に載置されている。尚、外障子３０の上框３１には、長手方向に沿って延在する挿入部３７が形成されており、かかる挿入部３７には、上枠１１の上レール１１ａが挿入されている。
【００３１】
これら障子２０，３０は、戸車２６，３６が下レール１２ａを転動することでそれぞれが下枠１２の長手方向に沿って、すなわち左右方向に沿ってスライドするものである。
【００３２】
そして、内障子２０の右側の縦框（以下、右縦框ともいう）２４が右側の縦枠（以下、右縦枠ともいう）１４に当接し、かつ外障子３０の左側の縦框（以下、左縦框ともいう）３３が左側の縦枠（以下、左縦枠ともいう）１３に当接した場合に、内障子２０の左側の縦框（以下、左縦框ともいう）２３と外障子３０の右側の縦框（以下、右縦框ともいう）３４とが下枠１２の長手方向（左右方向）の中央部分の上方にて互いに対向することで、上記開口枠１０を閉じるようにそれぞれの寸法が設定されている。このような障子２０，３０では、右縦框２４と左縦框３３とが戸先框となり、左縦框２３と右縦框３４とが召し合わせ框となる。
【００３３】
網戸用枠４０は、開口枠１０よりも室内側において、網戸用上枠４１、網戸用下枠４２及び左右一対の網戸用縦枠４３，４４がそれぞれ建物の開口縁部を構成する被取付部材である木額縁１にネジ等で取り付けられて方形状に構成されたものである。ここで網戸用上枠４１及び網戸用下枠４２が上下一対の横材を構成しており、網戸用縦枠４３，４４が左右一対の縦材を構成している。
【００３４】
この網戸用枠４０の各枠４１，４２，４３，４４は、それぞれアルミニウムやアルミニウム合金の押し出し形材によって所定の横断面形状を有するように構成されている。ここで網戸用上枠４１には、長手方向に沿って延在する網戸用上レール４１ａが設けられており、網戸用下枠４２には、長手方向に沿って延在する網戸用下レール４２ａが設けられている。また、網戸用縦枠４３，４４には、それぞれ網戸用上レール４１ａと網戸用下レール４２ａと同一平面を形成するよう網戸用縦レール４３ａ，４４ａが設けられている。このような網戸用枠４０の詳細については後述する。
【００３５】
網戸５０は、網戸用上框５１、網戸用下框５２及び左右一対の網戸用縦框５３，５４を四周框組みした框の内部に網５５が張設されて構成されている。このような網戸５０は、自身に近接する内障子（近接面材）２０よりも室内側に配置されている。
【００３６】
上記網戸５０は、網戸用戸車５６を有している。網戸用戸車５６は、例えばプラスチック等の樹脂材から構成される樹脂製のものであり、網戸用下框５２に設けられている。網戸用戸車５６は、図には明示していないが、網戸用下框５２の見込み方向に沿って延在する軸部の中心軸回りに回転可能となるよう網戸用下框５２に設けられている。このような網戸用戸車５６は、その外端面が網戸用下レール４２ａの上端面に転動可能に載置されている。
【００３７】
尚、網戸５０の網戸用上框５１には、長手方向に沿って延在する上差込溝５７が形成されており、かかる上差込溝５７には、網戸用上枠４１の網戸用上レール４１ａが差し込まれている。また、網戸５０の網戸用縦框５３，５４には、長手方向に沿って延在する縦差込溝５８，５９が形成されている。
【００３８】
この網戸５０は、網戸用戸車５６が網戸用下レール４２ａを転動することで網戸用下枠４２の長手方向に沿って、すなわち左右方向に沿ってスライドするものである。また、網戸用縦框５３，５４の室外側見付け面には、該網戸用縦框５３，５４の長手方向（上下方向）に沿って延在する長尺状のモヘアホール６０が形成されており、このモヘアホール６０には、上下方向が長手方向となる長尺状のモヘア（防虫タイト材）６１が室外側に突出するよう設けられている。これらモヘア６１は、先端部が内障子２０の召し合わせ框（左縦框２３）の室内側見付け面に接することが可能な延在長さを有している。
【００３９】
そして、内障子２０の右縦框２４が右縦枠１４に当接している場合において、網戸５０の左側の網戸用縦框（以下、網戸用左縦框ともいう）５３が縦差込溝５８に左側の網戸用縦枠（以下、網戸用左縦枠ともいう）４３の網戸用縦レール（以下、網戸用左縦レールともいう）４３ａが差し込まれた状態で該網戸用左縦枠４３に当接するとき、網戸５０の右側の網戸用縦框（以下、網戸用右縦框といもいう）５４に設けられたモヘア６１の一部が内障子２０の左縦框２３の室内側見付け面に接することが可能である。
【００４０】
また、内障子２０の右縦框２４が右縦枠１４に当接している場合において、網戸５０の網戸用右縦框５４が縦差込溝５９に右側の網戸用縦枠（以下、網戸用右縦枠ともいう）４４の網戸用縦レール（以下、網戸用右縦レールともいう）４４ａが差し込まれた状態で該網戸用右縦枠４４に当接するとき、網戸５０の網戸用左縦框５３に設けられたモヘア６１の一部が内障子２０の左縦框２３の室内側見付け面に接することが可能である。
【００４１】
図４及び図５は、それぞれ図１〜図３に示した網戸用枠４０を模式的に示すものであり、図４は、室内側左方より示した斜視図であり、図５は、室内側右方より示した斜視図である。これら図４及び図５に示すように、網戸用上枠４１の左右両端部は、それぞれ連結部品７０を介して網戸用縦枠４３，４４の上端部に連結されており、網戸用下枠４２の左右両端部は、それぞれ連結部品７０を介して網戸用縦枠４３，４４の下端部に連結されている。
【００４２】
網戸用上枠４１は、上記網戸用上レール４１ａの他、下延片４１ｂ、上方突片４１ｃ及び上方突部４１ｄが形成されている。下延片４１ｂは、室外側において、網戸用上枠４１の長手方向に亘って下方に向けて、すなわち他の横材（網戸用下枠４２）に向けて突出するよう形成されている。この下延片４１ｂの下方への突出長さは、網戸用上レール４１ａよりも大きいものである。
【００４３】
上方突片４１ｃは、室外側において、網戸用上枠４１の長手方向に亘って上方に向けて突出するよう形成されている。上方突部４１ｄは、上方突片４１ｃよりも室内側において、網戸用上枠４１の長手方向に亘って上方に向けて突出するよう形成されている。これら上方突片４１ｃ及び上方突部４１ｄは、上方への突出長さが互いに略等しいものである。
【００４４】
網戸用下枠４２は、上記網戸用下レール４２ａの他、上延片４２ｂ、下方突片４２ｃ及び下方突部４２ｄが形成されている。上延片４２ｂは、室外側において、網戸用下枠４２の長手方向に亘って上方に向けて、すなわち他の横材（網戸用上枠４１）に向けて突出するよう形成されている。この上延片４２ｂの上方への突出長さは、網戸用下レール４２ａよりも大きいものである。
【００４５】
下方突片４２ｃは、室外側において、網戸用下枠４２の長手方向に亘って下方に向けて突出するよう形成されている。下方突部４２ｄは、下方突片４２ｃよりも室内側において網戸用下枠４２の長手方向に亘って下方に向けて突出するよう形成されている。これら下方突片４２ｃ及び下方突部４２ｄは、下方への突出長さが互いに略等しいものである。
【００４６】
網戸用左縦枠４３は、上記網戸用左縦レール４３ａの他、右延片４３ｂ、左方突片４３ｃ及び左方突部４３ｄが形成されている。右延片４３ｂは、室外側において、網戸用左縦枠４３の長手方向に亘って右方に向けて、すなわち他の縦材（網戸用右縦枠４４）に向けて突出するよう形成されている。この右延片４３ｂの右方への突出長さは、網戸用左縦レール４３ａと略等しいものである。
【００４７】
左方突片４３ｃは、室外側において、網戸用左縦枠４３の長手方向に亘って左方に向けて突出するよう形成されている。左方突部４３ｄは、左方突片４３ｃよりも室内側において網戸用左縦枠４３の長手方向に亘って左方に向けて突出するよう形成されている。これら左方突片４３ｃ及び左方突部４３ｄは、左方への突出長さが互いに略等しいものである。
【００４８】
網戸用右縦枠４４は、上記網戸用右縦レール４４ａの他、左延片４４ｂ、右方突片４４ｃ及び右方突部４４ｄが形成されている。左延片４４ｂは、室外側において、網戸用右縦枠４４の長手方向に亘って左方に向けて、すなわち他の縦材（網戸用左縦枠４３）に向けて突出するよう形成されている。この左延片４４ｂの左方への突出長さは、網戸用右縦レール４４ａと略等しいものである。
【００４９】
右方突片４４ｃは、室外側において、網戸用右縦枠４４の長手方向に亘って右方に向けて突出するよう形成されている。右方突部４４ｄは、右方突片４４ｃよりも室内側において網戸用右縦枠４４の長手方向に亘って右方に向けて突出するよう形成されている。これら右方突片４４ｃ及び右方突部４４ｄは、右方への突出長さが互いに略等しいものである。
【００５０】
このような網戸用枠４０においては、網戸用上枠４１における網戸用上レール４１ａ及び下延片４１ｂ、並びに網戸用下枠４２における網戸用下レール４２ａ及び上延片４２ｂが、横材（網戸用上枠４１及び網戸用下枠４２）の見込み面より他の横材に向けて突出するよう形成された横材ヒレ部を構成している。そして、下延片４１ｂの方が上延片４２ｂよりも突出長さが大きく、かつ網戸用上レール４１ａの方が網戸用下レール４２ａよりも突出長さが大きい。
【００５１】
また網戸用枠４０において、網戸用左縦枠４３における左方突片４３ｃ及び左方突部４３ｄ、並びに網戸用右縦枠４４における右方突片４４ｃ及び右方突部４４ｄが、縦材（網戸用左縦枠４３及び網戸用右縦枠４４）の見込み面より他の縦材とは反対側に突出するよう形成された縦材突出部を構成している。
【００５２】
図６及び図７は、それぞれ図４及び図５に示した連結部品７０を示すものであり、図６は、網戸用上枠４１の左端部と網戸用左縦枠４３の上端部との連結、並びに網戸用下枠４２の左端部と網戸用左縦枠４３の下端部との連結に用いられる連結部品（以下、左方連結部品ともいう）７０を示す斜視図であり、図７は、図６に示した連結部品７０の右側面図である。尚、網戸用上枠４１の右端部と網戸用右縦枠４４の上端部との連結、並びに網戸用下枠４２の右端部と網戸用右縦枠４４の下端部との連結に用いられる連結部品（以下、右方連結部品ともいう）７０も同様の構成を有しており、図６及び図７に示したものとは左右の向きを反転させて使用するものである。
【００５３】
これら図６及び図７に示すように、連結部品７０は、例えばプラスチック等の樹脂材から構成される樹脂製のものであり、連結基部７１、連結目隠部７２及び内方突出部７３を備えて構成されている。
【００５４】
連結基部７１は、平板状の形態を成しており、複数（図示の例では８つ）のスリット７４，７５が形成されている。これらスリット７４，７５は、上下方向に沿って形成されるもので、連結基部７１の上端部に連続する第１上方スリット７４ａ、第２上方スリット７４ｂ、第３上方スリット７４ｃ及び第４上方スリット７４ｄと、連結基部７１の下端部に連続する第１下方スリット７５ａ、第２下方スリット７５ｂ、第３下方スリット７５ｃ及び第４下方スリット７５ｄとを備えている。
【００５５】
第１上方スリット７４ａは、最も室外側に形成されており、第２上方スリット７４ｂが第１上方スリット７４ａよりも室内側に形成されており、第３上方スリット７４ｃが第２上方スリット７４ｂよりも室内側に形成されており、第４上方スリット７４ｄが最も室内側に形成されている。また、第１下方スリット７５ａは、第１上方スリット７４ａの下方側に形成されており、第２下方スリット７５ｂが第２上方スリット７４ｂの下方側に形成されており、第３下方スリット７５ｃが第３上方スリット７４ｃの下方側に形成されており、第４下方スリット７５ｄが第４上方スリット７４ｄの下方側に形成されている。つまり、第１下方スリット７５ａが最も室外側に形成されており、第４下方スリット７５ｄが最も室内側に形成されている。
【００５６】
そして、これらのスリット７４，７５においては、連結基部７１を室外側と室内側との前後に分割する正中線Ｌに対して、第１上方スリット７４ａと第４上方スリット７４ｄ、第２上方スリット７４ｂと第３上方スリット７４ｃ、第１下方スリット７５ａと第４下方スリット７５ｄ、並びに第２下方スリット７５ｂと第３下方スリット７５ｃとが前後対象に形成されている。
【００５７】
また、第２上方スリット７４ｂ及び第３上方スリット７４ｃでは、上方端部（開放端部）での室内外方向（前後方向）の間隔が他の部分の間隔よりも小さく形成されており、第２下方スリット７５ｂ及び第３下方スリット７５ｃでは、下方端部（開放端部）での室内外方向（前後方向）の間隔が他の部分の間隔よりも小さく形成されている。
【００５８】
更に、これらのスリット７４，７５においては、第１上方スリット７４ａ、第２上方スリット７４ｂ、第３上方スリット７４ｃ及び第４上方スリット７４ｄの上下方向の延在長さの方が、第１下方スリット７５ａ、第２下方スリット７５ｂ、第３下方スリット７５ｃ及び第４下方スリット７５ｄの上下方向の延在長さよりも大きいものである。
【００５９】
連結目隠部７２は、連結基部７１に対して前後一対となるよう設けられる平板状部材であり、第１目隠部７２ａ及び第２目隠部７２ｂを備えている。第１目隠部７２ａは、連結基部７１の室外側端部より右方に向けて突出する平板状部材であり、上端部は連結基部７１の上端部よりも上方に突出し、下端部は連結基部７１の下端部よりも下方に突出している。
【００６０】
第２目隠部７２ｂは、連結基部７１の室内側端部より右方に向けて突出する平板状部材であり、上端部は連結基部７１の上端部よりも上方に突出し、下端部は連結基部７１の下端部よりも下方に突出している。
【００６１】
内方突出部７３は、連結基部７１及び連結目隠部７２に連続した状態で内方に向けて突出するよう形成されたリブ状部材である。この内方突出部７３は、第１上方スリット７４ａ等の上方スリット７４と、第１下方スリット７５ａ等の下方スリット７５との間の高さレベルに形成されるものであり、しかも上方スリット７４の延在長さが下方スリット７５の延在長さよりも大きいことから、上下方向のうち下方に偏って形成されている。
【００６２】
尚、ここでは、左方連結部品７０について説明したが、右方連結部品７０では、上述したように左右の向きを反転させて使用する。すなわち、右方連結部品７０では、第１上方スリット７４ａ及び第１下方スリット７５ａが最も室内側に形成されており、第４上方スリット７４ｄ及び第４下方スリット７５ｄが最も室外側に形成されている。また連結目隠部７２の第１目隠部７２ａが室内側であって第２目隠部７２ｂが室外側となる。
【００６３】
上記連結部品７０は、次のようにして網戸用上枠４１と網戸用縦枠４３，４４、並びに網戸用下枠４２と網戸用縦枠４３，４４とを連結する。尚、ここでは左方連結部品７０による連結について図８〜図１５を用いて説明する。
【００６４】
図８−１及び図８−２に示すように、左側上方の連結部品（以下、左側上方連結部品ともいう）７０を網戸用左縦枠４３に近接させ、図９−１及び図９−２に示すように、左側上方連結部品７０の第１下方スリット７５ａに網戸用左縦枠４３の左方突片４３ｃを相対的に進入させるとともに第３下方スリット７５ｃに網戸用左縦枠４３の左方突部４３ｄを相対的に進入させる。そして、図１０−１及び図１０−２に示すように、網戸用左縦枠４３の上端面が左側上方連結部品７０の内方突出部７３の下面に当接することで、当該左側上方連結部品７０は網戸用左縦枠４３に取り付けられる。
【００６５】
図１１−１及び図１１−２に示すように、左側下方の連結部品（以下、左側下方連結部品ともいう）７０を網戸用左縦枠４３に近接させ、図１２−１及び図１２−２に示すように、左側下方連結部品７０の第１上方スリット７４ａに網戸用左縦枠４３の左方突片４３ｃを相対的に進入させるとともに第３上方スリット７４ｃに網戸用左縦枠４３の左方突部４３ｄを相対的に進入させる。そして、図１３−１及び図１３−２に示すように、網戸用左縦枠４３の下端面が左側下方連結部品７０の内方突出部７３の上面に当接することで、当該左側下方連結部品７０は網戸用左縦枠４３に取り付けられる。
【００６６】
ところで、右側上方の連結部品（以下、右側上方連結部品ともいう）７０は、図５に示すように、第４下方スリット７５ｄに網戸用右縦枠４４の右方突片４４ｃが相対的に進入し、かつ第２下方スリット７５ｂに網戸用右縦枠４４の右方突部４４ｄが相対的に進入して、更に網戸用右縦枠４４の上端面が内方突出部７３の下面に当接することで、網戸用右縦枠４４に取り付けられている。
【００６７】
また、右側下方の連結部品（以下、右側下方連結部品ともいう）７０は、図５に示すように、第４上方スリット７４ｄに網戸用右縦枠４４の右方突片４４ｃが相対的に進入し、かつ第２上方スリット７４ｂに網戸用右縦枠４４の右方突部４４ｄが相対的に進入して、更に網戸用右縦枠４４の下端面が内方突出部７３の上面に当接することで、網戸用右縦枠４４に取り付けられている。
【００６８】
上述したように上端部及び下端部に連結部品７０が取り付けられた網戸用左縦枠４３は、図１４−１及び図１４−２に示すように、既に木額縁１にネジ等で取り付けられた網戸用上枠４１の下延片４１ｂが左側上方連結部品７０の第１上方スリット７４ａに進入するとともに網戸用上レール４１ａが第４上方スリット７４ｄに進入し、更に図１５−１及び図１５−２に示すように、既に木額縁１にネジ等で取り付けられた網戸用下枠４２の上延片４２ｂが左側下方連結部品７０の第１下方スリット７５ａに進入するとともに網戸用下レール４２ａが第４下方スリット７５ｄに進入することで網戸用上枠４１及び網戸用下枠４２に連結して木額縁１にネジ等で取り付けられる。
【００６９】
一方、上端部及び下端部に連結部品７０が取り付けられた網戸用右縦枠４４は、既に木額縁１にネジ等で取り付けられた網戸用上枠４１の下延片４１ｂが右側上方連結部品７０の第４上方スリット７４ｄに進入するとともに網戸用上レール４１ａが第１上方スリット７４ａに進入し、更に既に木額縁１にネジ等で取り付けられた網戸用下枠４２の上延片４２ｂが右側下方連結部品７０の第４下方スリット７５ｄに進入するとともに網戸用下レール４２ａが第１下方スリット７５ａに進入することで網戸用上枠４１及び網戸用下枠４２に連結して木額縁１にネジ等で取り付けられる。このようにして図４及び図５に示したような網戸用枠４０が構成される。
【００７０】
以上において、左側上方連結部品７０では、第１上方スリット７４ａ及び第４上方スリット７４ｄが、横材（網戸用上枠４１）の左端部の一部の進入を許容する横材スリットを構成している。また左側上方連結部品７０では、第１下方スリット７５ａ及び第３下方スリット７５ｃが、縦材（網戸用左縦枠４３）の端部の一部の進入を許容する縦材スリットを構成している。また、連結基部７１は、横材（網戸用上枠４１）の端面と縦材（網戸用左縦枠４３）の見込み面とに対向している。
【００７１】
左側下方連結部品７０では、第１下方スリット７５ａ及び第４下方スリット７５ｄが、横材（網戸用下枠４２）の左端部の一部の進入を許容する横材スリットを構成している。また左側下方連結部品７０では、第１上方スリット７４及び第３上方スリット７４ｃが、縦材（網戸用左縦枠４３）の端部の一部の進入を許容する縦材スリットを構成している。また、連結基部７１は、横材（網戸用下枠４２）の端面と縦材（網戸用左縦枠４３）の見込み面とに対向している。
【００７２】
右側上方連結部品７０では、第１上方スリット７４ａ及び第４上方スリット７４ｄが、横材（網戸用上枠４１）の右端部の一部の進入を許容する横材スリットを構成している。また右側上方連結部品７０では、第２下方スリット７５ｂ及び第４下方スリット７５ｄが、縦材（網戸用右縦枠４４）の端部の一部の進入を許容する縦材スリットを構成している。また、連結基部７１は、横材（網戸用上枠４１）の端面と縦材（網戸用右縦枠４４）の見込み面とに対向している。
【００７３】
右側下方連結部品７０では、第１下方スリット７５ａ及び第４下方スリット７５ｄが、横材（網戸用下枠４２）の右端部の一部の進入を許容する横材スリットを構成している。また右側下方連結部品７０では、第２上方スリット７４ｂ及び第４上方スリット７４ｄが、縦材（網戸用右縦枠４４）の端部の一部の進入を許容する縦材スリットを構成している。また、連結基部７１は、横材（網戸用下枠４２）の端面と縦材（網戸用右縦枠４４）の見込み面とに対向している。
【００７４】
このような構成を有する網戸用枠４０には、図２に示すように防虫部材８０が保持されている。防虫部材８０は、網戸用上枠４１と網戸用下枠４２とに保持された上下一対のものであり、上方防虫部材８０ａと下方防虫部材８０ｂとを備えている。
【００７５】
図１６は、上方防虫部材８０ａを示す斜視図である。ここで例示する上方防虫部材８０ａは、例えばゴム等の軟質性材料から構成されて容易に弾性変形しやすいものであり、防虫基部８１、防虫腕部８２及び防虫係止部８３が一体的に構成されている。
【００７６】
防虫基部８１は、ブロック状の形態を成したものである。この防虫基部８１の室外側面（前面）及び下面には、左右一対の摺接ヒレ部８１１が設けられている。この摺接ヒレ部８１１は、内障子２０の上端部、すなわち上框２１や縦框２３，２４の上端部に摺接可能な大きさを有しているとともに、内障子２０の左縦框２３における中央部の上面に摺接可能な大きさを有している。また、防虫基部８１の室内側面（後面）は、網戸５０に設けられたモヘア６１と摺接可能な大きさを有している。
【００７７】
この防虫基部８１には、防虫ヒレ部８１２が設けられている。防虫ヒレ部８１２は、防虫基部８１の上部より上方に突出するよう形成された薄板状部位である。この防虫ヒレ部８１２は、常態においては自身の弾性復元力により上方に突出した起立姿勢となるもので、押圧される場合に横倒れ姿勢に弾性変形するものである。
【００７８】
防虫腕部８２は、防虫基部８１の室内側上端部より左右に突出するよう形成された平板状部位である。この防虫腕部８２は、左右方向の長さが防虫基部８１の左右方向の長さよりも長いものである。また、防虫腕部８２は、前後方向の長さ、すなわち室内外方向の長さが網戸用上枠４１の上方突片４１ｃと上方突部４１ｄとの離間距離よりも短いものである。
【００７９】
防虫係止部８３は、防虫腕部８２よりも下方側において、防虫基部８１の室内側上端部より該防虫腕部８２よりも室内側に突出するよう形成されている。この防虫係止部８３の上面には、上方に突出する係止突部８３１が形成されている。
【００８０】
このような構成を有する上方防虫部材８０ａは、次のようにして網戸用上枠４１に仮止めされている。まず、図１７に示すように、網戸用上枠４１の左右方向の中央部分には下延片４１ｂ、上方突片４１ｃ及び上面に連続する切欠４１ｅが形成されている。この切欠４１ｅの左右幅は、防虫基部８１の左右幅よりも僅かに短いものである。また網戸用上枠４１には、切欠４１ｅの室内側であって上方突部４１ｄよりも室内側となる上面には係止孔４１ｆが形成されている。
【００８１】
そして、防虫係止部８３の係止突部８３１が網戸用上枠４１の係止孔４１ｆに下方側（網戸５０のスライド域側）より挿通することで防虫係止部８３が網戸用上枠４１に係止し、かつ防虫腕部８２が上方突片４１ｃと上方突部４１ｄとの間の上面に載置されるよう、切欠４１ｅに防虫基部８１が進入されることで、図１８に示すように上方防虫部材８０ａが網戸用上枠４１に仮止めされる。ここで防虫腕部８２は、防虫基部８１よりも左右方向の長さが大きいから、該防虫基部８１よりも左右幅の小さい切欠４１ｅを通過することができない。
【００８２】
このようにして上方防虫部材８０ａが仮止めされた網戸用上枠４１が、上述した説明とは前後するが、木額縁１にネジ等により取り付けられると、上方防虫部材８０ａは、該網戸用上枠４１に保持される。より詳細に説明すると、上方防虫部材８０ａの防虫腕部８２は、網戸用上枠４１と木額縁１との間に介在し、しかも切欠４１ｅを通過することができないから室外側への移動、すなわち内障子２０に近接する方向への移動が規制されている。また、防虫基部８１は、自身よりも左右幅の僅かに小さい切欠４１ｅに進入するので、左右方向、すなわち網戸用上枠４１の長手方向に沿っての移動が規制されている。
【００８３】
下方防虫部材８０ｂは、主たる構成が上方防虫部材８０ａと上下方向の構成が異なるだけであるので、簡単に説明する。この下方防虫部材８０ｂは、例えばゴム等の軟質性材料から構成されて容易に弾性変形しやすいものであり、図２に示すように、防虫基部８４、防虫腕部８５及び防虫係止部８６が一体的に構成されている。
【００８４】
防虫基部８４は、ブロック状の形態を成したものである。この防虫基部８４の室外側面（前面）及び上面には、左右一対の摺接ヒレ部８４１が設けられている。この摺接ヒレ部８４１は、内障子２０の下端部、すなわち下框２２や縦框２３，２４の下端部に摺接可能な大きさを有しているとともに、内障子２０の左縦框２３における中央部の下面に摺接可能な大きさを有している。また、防虫基部８４の室内側面（後面）は、網戸５０に設けられたモヘア６１と摺接可能な大きさを有している。
【００８５】
この防虫基部８４には、防虫ヒレ部８４２（図１９参照）が設けられている。防虫ヒレ部８４２は、防虫基部８４の下部より下方に突出するよう形成された薄板状部位である。この防虫ヒレ部８４２は、常態においては自身の弾性復元力により下方に突出した起立姿勢となるもので、押圧される場合に横倒れ姿勢に弾性変形するものである。
【００８６】
防虫腕部８５は、防虫基部８４の室内側下端部より左右に突出するよう形成された平板状部位である。この防虫腕部８５は、左右方向の長さが防虫基部８４の左右方向の長さよりも長いものである。また、防虫腕部８５は、前後方向の長さ、すなわち室内外方向の長さが網戸用下枠４２の下方突片４２ｃと下方突部４２ｄとの離間距離よりも短いものである。
【００８７】
防虫係止部８６は、図には明示しないが、防虫腕部８５よりも上方側において、防虫基部８４の室内側下端部より該防虫腕部８５よりも室内側に突出するよう形成されている。この防虫係止部８６の下面には、下方に突出する係止突部８６１が形成されている。
【００８８】
このような構成を有する下方防虫部材８０ｂは、防虫係止部８６の係止突部８６１が網戸用下枠４２の係止孔（図示せず）に上方側（網戸５０のスライド域側）より挿通することで防虫係止部８６が網戸用下枠４２に係止し、かつ防虫腕部８５が下方突片４２ｃと下方突部４２ｄとの間に位置するよう、切欠（図示せず）に防虫基部８４が進入されている。
【００８９】
そして、網戸用下枠４２が木額縁１にネジ等により取り付けられることで、下方防虫部材８０ｂは、防虫腕部８５が網戸用下枠４２と木額縁１との間に介在して室外側への移動、すなわち内障子２０に近接する方向への移動が規制され、かつ防虫基部８４が切欠により左右方向、すなわち網戸用上枠４１の長手方向に沿っての移動が規制されている。
【００９０】
このように防虫部材８０が網戸用枠４０に保持されていることで、上方防虫部材８０ａにおいては、摺接ヒレ部８１１が、内障子２０の上端部、すなわち上框２１や縦框２３，２４の上端部に摺接可能であるとともに、内障子２０の左縦框２３における中央部の上面に摺接可能である。また防虫基部８１の室内側面（後面）は、網戸５０に設けられたモヘア６１と摺接可能である。更に図２に示すように、開口枠１０を構成する上枠１１（対象横枠部材）が木額縁１より下方に突出して上方防虫部材８０ａの防虫基部８１の上部に接する場合には、防虫ヒレ部８４２は横倒れ姿勢となっている。また更に、下方防虫部材８０ｂにおいては、摺接ヒレ部８４１が、内障子２０の下端部、すなわち下框２２や縦框２３，２４の下端部に摺接可能であるとともに、内障子２０の左縦框２３における中央部の下面に摺接可能である。また防虫基部８４の室内側面（後面）は、網戸５０に設けられたモヘア６１と摺接可能である。また図２に示すように、開口枠１０を構成する下枠１２（対象横枠部材）が木額縁１より上方に突出して下方防虫部材８０ｂの防虫基部８４の下部に接する場合には、防虫ヒレ部８４２は横倒れ姿勢となっている。
【００９１】
そして、上述したように内障子２０及び外障子３０が開口枠１０を閉じる場合、上方防虫部材８０ａの防虫基部８１が上枠１１、内障子２０の左縦框２３の上端部及び中央部の上面、並びに左縦框２３の中央部の室内側見付け面に接するモヘア６１に接し、かつ下方防虫部材８０ｂの防虫基部８４が下枠１２、内障子２０の左縦框２３の下端部及び中央部の下面、並びに上記モヘア６１に接することで防虫ラインを構成している。
【００９２】
以上説明したような建具によれば、防虫部材８０を構成する防虫基部８１，８４が網戸用上枠４１等に形成された切欠４１ｅに挿入されることで該網戸用上枠４１等の長手方向に沿っての移動が規制され、かつ開口枠１０を閉じる内障子２０の左縦框２３（召し合わせ框）に摺接するとともに網戸５０に設けられたモヘア６１の一部と摺接し、防虫部材８０を構成する防虫腕部８２，８５が網戸用上枠４１等と木額縁１との間に介在して室外側への移動が規制されているので、防虫部材８０は、内障子２０や網戸５０がスライドすることによる外力が作用しても網戸用上枠４１等に良好に保持されつつ、開口枠１０を閉じた場合の内障子２０の左縦框２３とモヘア６１との隙間を閉塞することができる。よって、内障子２０の左縦框２３の見付け面がフラットでない場合にも防虫性能を良好なものとすることができる。
【００９３】
上記建具によれば、防虫部材８０は、防虫基部８１，８４が切欠４１ｅに挿入されるとともに防虫腕部８２，８５が木額縁１に固定される網戸用上枠４１等と該木額縁１との間で室外側への移動が規制されているだけなので、防虫部材８０を直接固定するための例えばビス等の部材が不要となり、部品点数の削減による製造コストの低減化を図ることができるとともに、施工性の向上を図ることができる。特に、ビス等の部材が不要となることで、ビス等で防虫部材を固定したことにより生ずる弊害、すなわちビスの一部が網戸の吊り込み時に当接したり、網戸がスライドする際に該網戸に摺接したりすることを防止できる。
【００９４】
上記建具によれば、防虫部材８０を構成する防虫係止部８３，８６が、網戸用上枠４１等に形成された係止孔４１ｆに網戸５０のスライド域側より係止突部８６１を挿通させて該網戸用上枠４１等に係止するので、防虫腕部８２，８５が上方突片４１ｃ等と上方突部４１ｄ等との間に載置されるよう、切欠４１ｅに防虫基部８１，８４が進入されることで、防虫部材８０を網戸用上枠４１等に仮止めすることができ、これにより施工性の向上を図ることができる。
【００９５】
上記建具においては、防虫基部８１，８４を構成する防虫ヒレ部８１２，８４２が常態においては防虫基部８１，８４より上方又は下方に向けて突出する起立姿勢となって開口枠１０の一部に接する一方、開口枠１０の一部に押圧された場合には横倒れ姿勢に弾性変形するので、次のような作用効果を奏する。
【００９６】
図２に示すように、開口枠１０を構成する上枠１１等が木額縁１より下方等に突出して防虫基部８１，８４に接する場合には、防虫ヒレ部８１２，８４２は横倒れ姿勢に弾性変形して上枠１１等と防虫基部８１，８４とが接することを許容する。そして、図１９に示すように、木額縁２に凹部３が形成されていて、開口枠１０の上枠１１′等の一部が該凹部３に進入して木額縁２の凹部３以外の下面等と上枠１１′等とがフラットな状態となる場合には、上枠１１′等と防虫基部８１，８４とは離隔することとなる。このような場合には、防虫ヒレ部８１２，８４２が自身の弾性復元力により起立姿勢となることで上枠１１′等と接することができる。
【００９７】
よって、上記建具によれば、納まりによって上枠１１′等と防虫基部８１，８４との隙間の大きさが異なる場合でも防虫ヒレ部８１２，８４２が姿勢を変形させることで追従して上枠１１′等との間に生ずる隙間を良好に塞ぐことができ、防虫性能の向上を図ることができる。
【００９８】
上記建具によれば、防虫部材８０が軟質性材料から構成されているので、防虫基部８１，８４の寸法が網戸用上枠４１等に形成される切欠４１ｅの寸法より大きくても当該防虫基部８１，８４を変形させながら切欠４１ｅに挿入することができ、施工性を良好なものとすることができる。しかも軟質性材料から構成されているので、防虫基部８１，８４の摺接ヒレ部８１１，８４１の一部が内障子２０や網戸５０と摺接してもこれら内障子２０や網戸５０を損傷させてしまう虞れがない。
【００９９】
また上記建具に適用される連結部品７０によれば、連結基部７１が網戸用上枠４１等の端部の一部をスリット７４，７５に進入させるとともに網戸用縦枠４３，４４の端部の一部をスリット７４，７５に進入させ、一対の連結目隠部７２が連結基部７１の室外側端部（前端部）及び室内側端部（後端部）より網戸用縦枠４３，４４の見付け面に沿って延在して連結基部７１とで略コ字状を成すので、網戸用上枠４１等の端部と網戸用縦枠４３，４４の端部とを露出させない。そのため、木額縁１の施工誤差や網戸用枠４０の各枠４１，４２，４３，４４の施工誤差等により網戸用上枠４１等と網戸用縦枠４３，４４との端部同士に生ずる隙間を塞ぐことができる。
【０１００】
特に、網戸用枠４０の各枠４１，４２，４３，４４の端部の一部をスリット７４，７５に進入させるだけなので、各枠４１，４２，４３，４４の端部に連結部品７０を取り付けるための加工等を施す必要がなく製造コストの低減化を図ることができる。しかも、各枠４１，４２，４３，４４の端部の一部をスリット７４，７５に進入させるだけなので、位置決め等が不要であり、また各連結部品７０を個別に木額縁１に取り付ける必要もないので、施工性の向上を図ることができる。更に、各枠４１，４２，４３，４４に施工誤差等が生じていても、スリット７４，７５に対する各枠４１，４２，４３，４４の端部の一部の進入量を変えればよく、施工誤差に対して良好に追従することができ、品質の向上を図ることができる。
【０１０１】
上記連結部品７０によれば、連結基部７１及び連結目隠部７２に連続した状態で内方に向けて突出するよう形成された内方突出部７３が網戸用縦枠４３，４４の端面に当接可能であるので、該網戸用縦枠４３，４４の端面を保護することができる。
【０１０２】
上記連結部品７０によれば、内方突出部７３が上下方向の一方に偏って形成されているので、網戸用上レール４１ａと網戸用下レール４２ａとで突出長さが異なるとともに、下延片４１ｂと上延片４２ｂとで突出長さが異なる網戸用上枠４１と網戸用下枠４２との端部の一部をそれぞれ対応するスリット７４，７５に良好に進入させることができる。
【０１０３】
上記連結部品７０によれば、連結基部７１におけるスリット７４，７５は、該連結基部７１を前後に分割する正中線Ｌに対して前後対象に形成されているので、網戸用枠４０の４隅に用いることができ、部品の共通化を図ることで、部品点数の削減により製造コストの低減化を図ることができる。
【０１０４】
上記連結部品７０によれば、第２上方スリット７４ｂ、第３上方スリット７４ｃ、第２下方スリット７５ｂ及び第３下方スリット７５ｃ７４，７５は、開放端部における前後方向の間隔が他の部分の前後方向の間隔よりも小さいので、これらスリット７４，７５に進入した網戸用縦枠４３，４４の端部の一部が簡単に抜けてしまうことを抑制できる。
【０１０５】
以上、本発明の好適な実施の形態について説明したが、本発明はこれに限定されるものではなく、種々の変更を行うことができる。
【０１０６】
上述した実施の形態では、網戸用枠４０及び網戸５０が開口枠１０の室内側に設けられていたが、本発明においては、網戸用枠及び網戸が開口枠の室外側に設けられていてもよい。
【０１０７】
上述した実施の形態では、被取付部材として木額縁１が用いられていたが、本発明においては、網戸用枠が取り付けられる被取付部材は木額縁以外であっても構わない。
【０１０８】
上述した実施の形態では、連結部品７０は、網戸用枠４０の各枠における端部の連結に用いられていたが、本発明においては、開口枠の各枠における端部の連結に用いられてもよい。
【０１０９】
上述した実施の形態では、建具として引き違い窓を例示したが、本発明に係る建具は、片引き窓であってもよい。
【符号の説明】
【０１１０】
１０  開口枠
２０  障子
２１  上框
２２  下框
２３  左縦框
２４  右縦框
３０  障子
４０  網戸用枠
４１  網戸用上枠
４２  網戸用下枠
４３  網戸用左縦枠
４４  網戸用右縦枠
５０  網戸
６１  モヘア
７０  連結部品
７１  連結基部
７２  連結目隠部
７３  内方突出部
７４  スリット
７５  スリット
８０  防虫部材
８１  防虫基部
８２  防虫腕部
８３  防虫係止部
【図１】
0006449058.tif 000002
【図２】
0006449058.tif 000003
【図３】
0006449058.tif 000004
【図４】
0006449058.tif 000005
【図５】
0006449058.tif 000006
【図６】
0006449058.tif 000007
【図７】
0006449058.tif 000008
【図８−１】
0006449058.tif 000009
【図８−２】
0006449058.tif 000010
【図９−１】
0006449058.tif 000011
【図９−２】
0006449058.tif 000012
【図１０−１】
0006449058.tif 000013
【図１０−２】
0006449058.tif 000014
【図１１−１】
0006449058.tif 000015
【図１１−２】
0006449058.tif 000016
【図１２−１】
0006449058.tif 000017
【図１２−２】
0006449058.tif 000018
【図１３−１】
0006449058.tif 000019
【図１３−２】
0006449058.tif 000020
【図１４−１】
0006449058.tif 000021
【図１４−２】
0006449058.tif 000022
【図１５−１】
0006449058.tif 000023
【図１５−２】
0006449058.tif 000024
【図１６】
0006449058.tif 000025
【図１７】
0006449058.tif 000026
【図１８】
0006449058.tif 000027
【図１９】
0006449058.tif 000028